(57)【要約】【課題】従来の釣竿に装着する竿保持具は、必然的に長物であったため、竿保持具の慣性力が大きく、キャスティングにおいて、釣竿に与える影響が発生し、遠投する投げ釣りには不向きであった。また、キャスティングでの引き手側のグリップは、効率的な握る角度と握る位置を両立する事は難しかった。【解決手段】竿保持具を釣竿１に装着するとともに、釣竿１を軸にリール２と対向する位置とし、リール２が釣竿１の上側に位置して保持する構成とした。リール２は必然的に地面から離れる事となり、竿保持具の大幅な小型化を可能とした。また、地面と線状の面で接する部位を有する事により、砂浜でも十分な支持力があるため、さらに小型化を可能とした。釣竿１のリールから穂先側に装着するものを第１の発明とし、釣竿１のリール２から竿尻側に装着し、キャスティングでの引き手側のグリップとして兼用したものを第２の発明とし提供するものである。【選択図】図１
2006197858.tif 000002
【特許請求の範囲】
【請求項１】
リールを装着した釣竿を支える竿保持具、もしくは釣竿のグリップと兼用とした竿保持具であって、釣竿に装着し、釣竿を軸にリールと対向して位置し、リールが釣竿の上側に位置して保持するものであって、地面と５ｃｍ以上の線状の面で接する部位を有し、釣竿の軸から半径８ｃｍ以内に収まる形状である事を特徴とする竿保持具。
【請求項２】
請求項１の竿保持具であって、リールより穂先側に装着するもので、釣竿の離れた２ヶ所を挟持する部位と、挟持した２ヶ所の部位を２本の線状部位で連結した構成とし、２本の線状部位が、それぞれ地面と線状の面で接する部位を有して保持する事を特徴とする竿保持具。
【請求項３】
請求項１の竿保持具であって、リールより竿尻側に装着するもので、釣竿の軸と直角に立体交差する棒状部位を有し、棒状部位が地面と線状の面で接して保持する事を特徴とする竿保持具。
【請求項４】
釣竿のリールより竿尻側に装着するグリップであって、釣竿の軸と直角に立体交差する棒状部位を有し、釣竿に狭持して固定する事を特徴とするグリップ。
【発明の詳細な説明】
【技術分野】
【０００１】
本発明は、釣竿の竿保持具および竿尻グリップに関する。
【背景技術】
【０００２】
砂浜での投げ釣りでは、リールが砂に接して汚れると、砂がリール内部に入り込み、回転部に不具合が発生する。このためリールを地面に接しないための竿保持具は必ず必要である。
さらに、砂浜では、頻繁に場所を移動して釣る事も多く、常に釣竿を手に持ちながら釣る事も多い。このような場合、竿保持具は、餌を付けたり、仕掛けを修正する時だけが必要である。したがって、移動を繰り返す場合の竿保持具は、軽装なほど良い。
砂浜で使用する竿保持具としては、「三脚式の竿保持具」、「一本刺しの竿保持具」、「クーラー取付式の竿保持具」などが一般に販売されている。
【０００３】
「三脚式の竿保持具」は、竿を掛ける部分を３本の支柱で支える竿立であって、１〜４本程度の竿を掛ける事が出来るもので、釣場を移動しないで釣る場合に使われる。
【０００４】
「一本刺しの竿立」は、砂浜に突き刺して使用する竿保持具であって、１本の棒形状であり軽装である。
【０００５】
「クーラー取付式の竿保持具」は、クーラーに竿保持具が装着されており、竿保持具は、据付手間を掛ける事なく使用出来るものである。
【０００６】
さらに釣り道具から少し離れて、移動して釣り歩くような場合には、その場で使用出来る軽装な竿保持具が望ましい。特に、仕掛けが絡んだりして修復する場合には、それだけの理由で竿保持具まで戻るのは面倒である。したがって、竿保持具は常にその場で利用出来るものが適している。
そのような状況に対して、「竿に装着する竿保持具」、「リールに装着する竿保持具」、「帽子、衣服、長靴に装着する竿保持具」などが考案されている。
【０００７】
「竿に装着する竿保持具」としては、「特開平１０−１３６８５６号公報」や「実開平５−７０７８号公報」に開示された竿保持具が知られている。これによると竿保持具は、リールの前方部に竿保持具を装着しており、リールが地面に接しないような長い部位を有して支えている。同様の構造として、実際に市販されているものでは、ワカサギ釣りやイカダ釣りのように極端に短い軽装な釣竿で、キャスティングさえも必要としない場合の竿保持具として知られている。
【０００８】
「リールに装着する竿保持具」としては、「特開２００４−０４１１３８号公報」、「実開平４−９１６７５号公報」に開示の竿保持具が知られている。これによると、リール本体にスタンドを装着しているため、釣場を移動して釣る場合に適している。
【０００９】
「帽子、衣服、長靴に装着する竿保持具」は、釣り人の身体に付けている物に竿保持具を装着したものであり、釣り人と一体であるため、釣場を移動して釣る場合に適している。
【００１０】
また、投げ釣りにおいて遠投する場合には、釣竿のグリップは、キャスティングする場合に釣竿を安定して振るために握りやすい形状と位置である事が重要であった。市販されているものとして、投げ竿の竿尻側のグリップは、単に釣竿の延長である場合や、握りやすいように、くびれや丸みをつけたものが知られている。
【００１１】
さらに「特開２００４−２６１０７４」に開示のグリップでは、リアグリップとリールとの相対位置が調整できるものが知られている。
【００１２】
【特許文献１】特開平１０−１３６８５６号公報
【特許文献２】実開平５−７０７８号公報
【特許文献３】特開２００４−４１１３８号公報
【特許文献４】実開平４−９１６７５号公報
【特許文献５】特開２００４−２６１０７４号公報
【発明の開示】
【発明が解決しようとする課題】
【００１３】
上述したように、竿保持具は、釣場の移動を繰り返す場合において、軽装なほど良く、常に釣人が移動した場所で利用出来るものが好ましい。釣竿に装着した場合であってもキャスティングにも影響が少ないものが必要であった。
【００１４】
「三脚式の竿保持具」や「一本刺しの竿保持具」および「クーラー取付式の竿保持具」では、竿保持具から少し離れて釣る場合で、釣竿を一時的に置く必要が生じた場合には、それだけの理由で竿保持具まで戻る必要があり面倒であった。
【００１５】
「竿に装着する竿保持具」では、釣竿にぶら下がったリールが地面に接しないように、必然的に長物の竿保持具であったため、竿保持具の慣性力が大きく、キャスティングにおいて釣竿に与える影響が発生し、遠投する投げ釣りには不向きであった。
【００１６】
「リールに装着する竿保持具」では、使用するリール形状に合わせた竿保持具が必要であり、どの釣具にも使用できるものではなかった。
【００１７】
「帽子、衣服、長靴に装着する竿保持具」のように、竿保持具が釣り人の動きに連動する場合には、釣り人の動きに制限が生じるため、快適な使い勝手を得る事が難しかった。
【００１８】
さらに投げ釣りに使用する釣竿のグリップは、釣竿を安定して力強く振れる位置と形状である事が好ましい。
【００１９】
キャスティングでは、リールの慣性力や釣糸からの荷重が影響し、釣竿の軸を中心としたねじれ方向の作用が釣竿に働く。このため釣り人は、釣竿をしっかりと握ってねじれないようにする必要があり、このねじれに対する余分な作業はキャスティングで遠投する場合には障害であった。
【００２０】
また、キャスティングにて、引き手が竿尻のグリップを握る場合には、釣人の身体の違いにより、リールと竿尻のグリップとの相対距離が調整できるものが良いが、調整機構が備わっている釣竿でしか調整する事は出来なかった。
【課題を解決するための手段】
【００２１】
本発明は、上記の課題を解決するため、小型の竿保持具を釣竿のリールから穂先側に装着し、いつでもどこでも釣竿を置く事が出来る竿保持具を提供することを第１の課題とし、小型の竿保持具を釣竿のリールから竿尻側に装着し、いつでもどこでも釣竿を置く事が出来る竿保持具であるとともにキャスティングにおいて有効な引き手側のグリップと兼用出来る竿保持具を提供することを第２の課題とする。第１の課題を達成するものを第１の発明とし、第２の課題を達成するものを第２の発明とし、以下の手段をとった。
【００２２】
第１の発明、第２の発明に共通して、竿保持具はキャスティングにおいて、不安定な作用を与えない事が必要なため、慣性力が小さくなるように、軽量である事と竿の軸から短い半径の範囲に竿保持具が収まる事が必要であった。これに対して、リールが釣竿の上側に位置して保持する構成とする事により、リールは必然的に地面から離れる事となり、リールの大きさとは関係なく、竿保持具の大幅な小型化を可能としたものである。
【００２３】
また、砂浜では竿保持具が砂にぬかる深さが長いと、その分だけ竿保持具は大きいものが必要となるため、ぬかる深さを少なくする必要がある。これに対し、竿保持具が地面と線状の面で接する棒状部位を有して構成する事により、砂浜でも十分な接地抵抗を得る事が出来るため、さらに大幅な小型化を可能とした。
【００２４】
第１の発明では、リールより穂先側に竿保持具を装着するため、特に竿保持具の慣性力がキャスティングに与える影響は大きい。このため軽量であるとともに、リールを上に支える剛性やキャスティングする時に耐えられる剛性が必要である。
これに対し、竿保持具は、釣竿の離れた２ヶ所を挟持する固定部位と、挟持した２ヶ所の固定部位を２本の線状部位で連結する構成とし、２本の線状部位が、それぞれ地面と線状の面で接するものとした。これにより竿保持具の両端部が釣竿と固定されるため、効果的に剛性を確保出来るとともに、釣竿の軸と並行して、２本の線状の面で接地出来る部位を形成出来るため、釣竿の軸から短い半径の範囲で竿保持具を収めても有効な接地抵抗を得る事を可能としたものである。
【００２５】
竿保持具の固定は、釣竿を挟持する事により固定している。挟持する方法は、円弧形状の板バネや、円弧形状の部位をねじりバネや、面ファスナーや、ゴムバンドなどで締付けて挟持する事が出来る。部材は、金属でも樹脂でも良い。
【００２６】
第２の発明では、リールより竿尻側に竿保持具を装着するため、リールより穂先側に装着する場合に比べると、竿保持具の重量がキャスティングに与える影響は一般的に少ないといえる。しかしながら、別な課題として、キャスティングの引き手で持つ位置と重なるため、釣竿の広い範囲に竿保持具が位置する事は使い勝手が悪くなる。これに対して、竿保持具を引き手側のグリップとして兼用する事により問題を解決するものとした。
【００２７】
竿保持具をグリップと兼用するために、釣竿の軸と直角に立体交差する棒状部位を構成し、地面と線状の面で接して釣竿を保持する部位するとともに、棒状部位をグリップとして兼用した。さらに釣竿との固定部位は、狭持して固定する構成とする事により、リールとの相対距離を調節することが出来るものとし、棒状部位と固定部位を連結する連結部位は引き手で握るのに支障がない位置もしくは形状とした。
【００２８】
この場合の連結部位は、棒状部位の中間部と１本の部材で連結する構成のほかに、棒状部位端部と１本の部材で連結する構成や、棒状部位両端部と２本の部材で連結する構成とする事が出来る。棒状部位の形状は、手になじむように若干の凹凸があるものや、丸みを帯びたものでも、砂浜での使用では、若干は砂にぬかるため、安定して支える事が出来れば問題ない。棒状部位と連結部位の材質は、金属でも樹脂でも良く、全体を一体とした構成でも良い。
【００２９】
さらに、釣竿の軸と直角に立体交差する棒状部位を、キャスティングの引き手側のグリップとする事は、竿保持具としての機能以外に、キャスティングにおいて、後述の三つの優れた効果を得る事も達成している。
【００３０】
一つ目は、キャスティングにおいて、リールの慣性力や釣糸からの荷重が影響し、釣竿の軸を中心としたねじれ方向の作用が働く、このため釣竿が回転しないように、釣竿を強く握っておく必要がある。これに対し、竿尻側に釣竿の軸と立体交差したグリップを握る事により容易に回転を抑制できるとともに、釣竿の軸から離れたグリップを引く事は、安定する作用が発生する事から、釣竿を軸とした回転に対し優れた効果を得ることが可能である。その結果、押し側の手は、軽く握るだけで良く、釣竿を押し出す事と、釣糸を放すタイミングに意識を集中する事が可能である。
【００３１】
二つ目は、キャスティングする場合において、釣竿の軸と直角に交差したグリップを握る事は、必然的に引き手側の手首は従来よりも９０度回転した角度で持つ事となる。その結果、引き手側の脇が閉まり、引く力が入りやすいという優れた効果がある。
【００３２】
三つ目は、釣竿との連結部位の固定方法にて、釣竿を挟持して固定する事により、グリップ位置を釣竿に沿って自由に調整できるため、釣人の身体に合わせてリールとグリップの相対距離を調整できるという優れた効果がある。
【００３３】
釣竿との連結部位の固定方法は、その他にも、竿にリールシートを取り付け、そのリールシートに固定する方法や、竿尻の栓から連結部位を延長する事も出来る。
【発明の効果】
【００３４】
本発明によれば、釣竿に装着する竿保持具は大幅な小型化が可能であり、釣竿に装着された竿保持具がキャスティングに与える影響は少なく、釣竿に装着しているので、釣人が移動しながら釣る場合でも、いつでもどこでも竿を置く事が可能である。
【００３５】
さらに、リールより竿尻側に竿保持具を装着する場合で、竿保持具を引き手のグリップとして兼用する場合には、キャスティングにおいても後述の三つの効果を得る事が出来る。
【００３６】
一つ目は、キャスティングにおいて、釣竿を軸とした回転が発生しないように、釣竿を強く握っておく必要がある。これに対し、竿尻に釣竿の軸と立体交差したグリップは、握った手で容易に回転を抑制できるとともに、釣竿の軸から離れたグリップを引く事は、安定する作用が発生する事から、釣竿を軸とした回転に対し、優れた効果を得ることが出来る。その結果、押し側の手は軽く握るだけで良く、釣竿を押し出す事と、釣糸を放すタイミングに意識を集中する事が出来る。
【００３７】
二つ目は、キャスティングする場合において、釣竿の軸と直角に交差したグリップを握る事は、必然的に引き手側の手首は従来よりも９０度回転した角度で持つ事となる。その結果、引き手側の脇が閉まり、引く力が入りやすいという優れた効果がある。
【００３８】
三つ目は、釣竿との連結部位の固定方法にて、釣竿を挟持して固定する事により、グリップ位置を釣竿に沿って自由に調整できるため、リールとグリップの相対距離を釣人の身体と合わせて調整できるという優れた効果がある。
【００３９】
スピニングリールではなく、両軸リールを使用して、引き手側のグリップとして活用する場合には、釣竿を軸として両軸リールと同じ向きに位置して装着する事により使用可能である。この場合は、竿保持具としては機能できない。
【発明を実施するための最良の形態】
【００４０】
以下、本発明の実施形態について説明する。
図１は、第１の発明と第２の発明の概要図であり、図２〜図３は、第１の発明を示す実施形態の説明図であり、図４〜図９は、第２の発明を示す実施形態の説明図である。
【００４１】
図１（ａ）は第１実施形態を示す概要図であり、釣竿１のリール２より穂先側に竿保持具を装着するものである。以下、竿保持具Ａとする。竿保持具Ａは、釣竿１を軸にリール２と対向して位置し、固定部位３により固定している。このため、リール２が釣竿１の上側に位置して竿を保持する構成となる。さらに、地面と５ｃｍ以上の線状の面で接する線状部位４を有し、釣竿１の軸から半径８ｃｍ以内に収まる形状としている。
【００４２】
図１（ｂ）は第２実施形態を示す概要図であり、釣竿１のリール２より竿尻側に竿保持具を装着するものである。以下、竿保持具Ｂとする。竿保持具Ｂは、釣竿１を軸にリール２と対向して位置し、固定部位３により固定している。このため、リール２が釣竿１の上側に位置して竿を保持する構成となる。さらに、地面と５ｃｍ以上の線状の面で接する棒状部位５を有し、棒状部位５は連結部位６により固定部位３と連結されており、釣竿１の軸から半径８ｃｍ以内に収まる形状としている。
【００４３】
（第１実施形態）
図２は、本発明の第１実施形態の竿保持具Ａを示すもので、（ａ）は正面図、（ｂ）は、Ｘ−Ｘからの矢視図である。竿保持具Ａは、釣竿１の離れた２ヶ所を挟持する円弧形状板バネ３ａと、円弧形状板バネ３ａの内側に取付けた保護シート８と、挟持した２ヶ所の円弧形状板バネ３ａを２本の線状部位で連結する線状部位４で構成し、２本の線状部位４が、それぞれ地面１０と線状の面で接する部位を有し、釣竿１を保持する形状としている。
【００４４】
竿保持具Ａにおいて、釣竿を狭持する固定部位は、その他にも、様々な方法があり、図３に、狭持する手法として、（ａ）、（ｂ）、（ｃ）、（ｄ）、（ｅ）、（ｆ）の主要な６種類の示している。各図は、釣竿１の軸方向に見た矢視図である。
【００４５】
図３（ａ）は、図２と同じ手法であり、釣竿１に、竿保持具Ａを円弧形状板バネ３ａで狭持し、脱着は洗濯ハサミのように２本の線状部位４を合わせる方向に縮めると取り外しする事が出来る。さらに円弧形状板バネ３ａの内側には、保護シート８を貼り付け、釣竿１を保護するとともに、滑り止めも兼ねている。円弧形状板バネ３ａと連結部位４は、金属でも樹脂でも良く、一体で成型しても良い。
【００４６】
図３（ｂ）は、竿保持具Ａを、巻き糸３ｂで釣竿１と合わせて縛る事により固定し、コーティング材で固めている。この場合、竿保持具Aは、２本の線状部位４を一体とした構成としている。脱着する事は出来ないが、軽量で強固な構成と出来る。
【００４７】
図３（ｃ）は、釣竿１に、竿保持具Ａを円弧形状部位３ｃと面ファスナー３ｄで狭持し、脱着は面ファスナー３ｄを剥がす事により取り外す事が出来る。円弧形状部位３ｃと線状部位４は樹脂を使った一体成型としている。
【００４８】
図３（ｄ）は、釣竿１に、竿保持具Ａを円弧形状部位３ｃと引張バンド３ｅで狭持し、脱着は引張バンド３ｅを緩める事により取り外す事が出来る。円弧形状部位３ｃと線状部位４は樹脂を使った一体成型としている。
【００４９】
図３（ｅ）は、釣竿１に、竿保持具Ａを円弧形状部位３ｃとゴムバンド３ｆで狭持し、脱着はゴムバンド３ｆを緩める事により取り外す事が出来る。円弧形状部位３ｃと線状部位４は樹脂を使った一体成型としている。
【００５０】
図３（ｆ）は、釣竿１に、竿保持具Ａを円弧形状部位３ｃとねじりバネ３ｇで狭持し、脱着は洗濯ハサミのように２本の線状部位４を合わせる方向に縮めると取り外す事が出来る。円弧形状部位３ｃと線状部位４は樹脂を使った一体成型としている。
【００５１】
（第２実施形態）
図４は、第２実施形態の竿保持具Ｂを示すもので、それぞれ（ａ）は正面図、（ｂ）は、Ｘ−Ｘからの矢視図である。竿保持具Ｂは、釣竿１の軸と直角に立体交差する棒状部位５と、釣竿１を狭持する円弧形状部位３ｃと、円弧形状部位３ｃを締付ける偏心カム締付装置３ｈと、円弧形状部位３ｃが狭持する圧力を均一に広げる均圧管７と、円弧形状部位３ｃと棒状部位５を連結する連結部位６で構成し、棒状部位５が地面１０と線状の面で接して保持する形状としている。均圧管７は円弧形状の管とし、内側には、保護シート８を貼り付け、釣竿１を保護するとともに、滑り止めも兼ねている。
【００５２】
図４は、連結部位６が、棒状部位５の中間部と１本の部位で連結した構成としたものである。
【００５３】
（第３実施形態）
図５は、第３実施形態の竿保持具Ｂを示すもので、第２実施形態の構成に対し、連結部位６が、棒状部位５の端部と１本の部材で連結した構成としたものである。
【００５４】
（第４実施形態）
図６は、第３実施形態の竿保持具Ｂを示すもので、第２実施形態の構成に対し、連結部位６が、棒状部位５の両端部と２本以上の部位で連結した構成としたものである。
【００５５】
図４、図５、図６に共通して竿保持具Ｂの棒状部位５の形状は、手になじむように若干の凹凸があるものや、丸みを帯びたものでも砂浜での使用では、安定して支える事が出来れば特に問題は無い。保護シート８以外の各材質は、金属でも樹脂でも良く、それぞれの部位を一体とした構成でも良い。
【００５６】
竿保持具Ｂにおいて、釣竿を狭持する固定部位は、その他にも、様々な方法があり、図７に、狭持する手法として、（ａ）、（ｂ）、（ｃ）、（ｄ）の主要な４種類を示している。各図は、釣竿１の軸方向に見た矢視図である。
【００５７】
図７（ａ）は、図４、図５、図６と同じ手法で狭持したものであり、竿保持具Bを釣竿１に固定する方法として、円弧形状部位３ｃと偏心カム締付装置３ｈで狭持している。脱着は偏心カム機構の取っ手を緩めると取り外しする事が出来る。円弧形状部位３ｃの内側には、円弧形状部位３ｃが狭持する圧力を均一に広げる円弧形状の均圧管７と、さらに均圧管７の内側には、保護シート８を貼り付け、釣竿１を保護するとともに、滑り止めも兼ねている。
【００５８】
図７（ｂ）は、竿保持具Bを釣竿１に固定する方法として、円弧形状部位３ｃとゴムバンド３ｆで狭持している。脱着はゴムバンド３ｆを緩めると取り外しする事が出来る。円弧形状部位３ｃは、狭持する圧力を均一に広げるために円弧軸方向に長さを取り、円弧形状部位３ｃの両端部をゴムバンド３ｆで狭持している。さらに円弧形状部位３ｃの内側には、保護シート８を貼り付け、釣竿１を保護するとともに、滑り止めも兼ねている。
【００５９】
図７（ｃ）は、竿保持具Bを釣竿１に固定する方法として、径方向に伸縮性があり雄ネジを切った内筒管３ｉを、雌ネジを切った締付可能な外筒管３ｊで圧縮し狭持している。脱着は外筒管３ｊを緩めると取り外しする事が出来る。内筒管３ｉと外筒管３ｊは、金属でも樹脂でも良い。さらに内筒管３ｉの内側には、保護シート８を貼り付け、釣竿１を保護するとともに、滑り止めも兼ねている。
【００６０】
図７（ｄ）は、釣竿１にリール装着用のリールシート３ｋを予め取付けている、連結部位６の棒状部位５側と反対側の端部をリールの脚と同形状とし、リールシート３ｋに装着出来る構成としている。脱着はリールシート３ｋを解除すると取り外しする事が出来る。軽量で強固に固定できる。
【００６１】
（第５実施形態）
図８は、第５実施形態の竿保持具Ｂを示すもので、竿尻端部から延長して連結部位６を構成する場合であり、（ａ）は正面図、（ｂ）は、Ｘ−Ｘからの矢視図である。釣竿１の軸と直角に立体交差する棒状部位５と、釣竿１の竿尻栓９と、竿尻栓９から延長して位置する連結部位６で構成し、棒状部位５が地面１０と線状の面で接して保持する形状としている。連結部位６は、竿尻栓９に対してスライドさせ、リールからの相対距離を調節出来るようにする事も出来る。
【００６２】
図９は、第２の発明における竿保持具Ｂにおいて、棒状部位５をキャスティング時に引き手側のグリップとして兼用する場合のそれぞれの位置関係を示している。
【００６３】
前述したように、棒状部位５を引き手のグリップとして兼用した場合には、キャスティングにおいて三つの効果を得る事が出来る。
【００６４】
一つ目は、従来はキャスティングにおいて、釣竿１を軸とした回転が発生しないように、釣人Cは釣竿１を強く握っておく必要があった。これに対し、竿尻に釣竿１の軸と立体交差した棒状部位５をグリップとして使用すると、引き手Ｅの操作により容易に回転を抑制する事が出来るとともに、釣竿１の軸から離れた棒状部位５をグリップとして引く事は、釣竿１を軸とした回転に対し、安定する作用が発生する。以上から釣竿１を軸とした回転に対して優れた効果を得る事が出来る。その結果、押し手Ｄは軽く握るだけで良く、釣竿１を強く押し出す事と、釣糸を放すタイミングに意識を集中する事が出来る。
【００６５】
二つ目は、キャスティングする場合において、釣竿１の軸と直角に交差した棒状部位５をグリップとして握る事は、必然的に釣人Cの引き手Ｅの手首は従来よりも９０度回転した角度で握る事となる。その結果、引き手側の脇が閉まり、力強く引けるという優れた効果がある。
【００６６】
三つ目は、釣竿１との固定方法において、釣竿１を挟持して固定する事により、棒状部位５の装着位置を釣竿に沿って自由に調整できるため、リール２とグリップとしての棒状部位５の相対距離を釣人Cの身体と合わせて調整できるという優れた効果がある。
【００６７】
ただし、スピニングリールではなく、両軸リールを使用して、引き手側のグリップとして活用する場合には、釣竿１を軸として両軸リールと同一の向きに位置して装着する必要がある。この場合は、竿保持具としては機能できない。
【産業上の利用可能性】
【００６８】
本発明は、投げ釣りにおいて、頻繁に釣場の移動を繰り返す場合に使用する竿保持具として有用に利用する事ができる釣具や、キャスティングにおける効率的な引き手側グリップとして有用に利用する事ができる。
【図面の簡単な説明】
【００６９】
【図１】本発明の第１の発明と第２の発明の概要を示すもので、（ａ）は第１の発明の概要図、（ｂ）は第２の発明の概要図である。
【図２】第１の発明を示す第１実施形態で、（ａ）は正面図、（ｂ）は矢視図である。
【図３】第１の発明の釣竿を狭持する方法を示すもので、（ａ）、（ｂ）、（ｃ）、（ｄ）、（ｅ）、（ｆ）の主要な６種類の矢視図を示している。
【図４】第２の発明を示す第２実施形態で、棒状部位の中間部と１本の部位で連結した場合の説明図である。（ａ）は正面図、（ｂ）は矢視図である。
【図５】第２の発明を示す第３実施形態で、棒状部位の端部と１本の部位で連結した場合の説明図である。（ａ）は正面図、（ｂ）は矢視図である。
【図６】第２の発明を示す第４実施形態で、棒状部位の両端部と２本以上の部位で連結した場合の説明図である。（ａ）は正面図、（ｂ）は矢視図である。
【図７】第２の発明の釣竿を狭持する手法を示すもので、（ａ）、（ｂ）、（ｃ）、（ｄ）の主要な４種類の矢視図を示している。
【図８】第２の発明を示す第５実施形態で、竿尻端部から延長して連結部位を構成する場合の説明図である。（ａ）は正面図、（ｂ）は矢視図である。
【図９】第２の発明の竿保持具Ｂを、キャスティング時に引き手側のグリップとして兼用する場合のそれぞれの位置関係を示している。
【符号の説明】
【００７０】
Ａ      竿保持具Ａ
Ｂ      竿保持具Ｂ
Ｃ      釣人
Ｄ      押し手
Ｅ      引き手
１      釣竿
２      リール
３      固定部位
３ａ    円弧形状板バネ
３ｂ    巻き糸
３ｃ    円弧形状部位
３ｄ    面ファスナー
３ｅ    引張バンド
３ｆ    ゴムバンド
３ｇ    ねじりバネ
３ｈ    偏心カム締付装置
３ｉ    内筒管
３ｊ    外筒管
３ｋ    リールシート
４      線状部位
５      棒状部位
６      連結部位
７      均圧管
８      保護シート
９      竿尻栓
１０    地面
【図１】
2006197858.tif 000003
【図２】
2006197858.tif 000004
【図３】
2006197858.tif 000005
【図４】
2006197858.tif 000006
【図５】
2006197858.tif 000007
【図６】
2006197858.tif 000008
【図７】
2006197858.tif 000009
【図８】
2006197858.tif 000010
【図９】
2006197858.tif 000011